(57)【要約】【課題】  処理不可能な高解像度信号を入力した場合でも、出力端子から同品位の映像出力を行え、更に出力映像に対して同期を保った音声を出力可能な情報記録再生装置及び情報記録再生方法を提供することにある。  【解決手段】  記録媒体に情報を記録再生する記録再生装置において、画像信号規格情報を伴う映像信号を受け画像信号規格情報を抽出して出力する抽出手段２２と、この画像信号規格情報に基づいて映像信号を外部にスルーさせるかを制御する映像制御信号を生成し映像信号をスルーさせる映像スルー出力切換手段２３，３４と、映像制御信号に基づいて映像信号に対応する音声信号を選択させる音声制御信号を出力し映像信号に対応する音声信号を選択する音声切換手段１４，２４と、選択された音声信号を映像信号に同期させる遅延処理部２９とを具備することを特徴とする。【選択図】  図１
2005277535.tif 000002
【特許請求の範囲】
【請求項１】
記録媒体に情報を記録または前記記録媒体から前記情報を再生するためのＤ端子を有する情報記録再生装置において、
画像信号規格情報を伴う映像信号を受け、前記画像信号規格情報を抽出して出力する抽出手段と、
前記抽出手段によって抽出された前記画像信号規格情報に基づいて、前記映像信号を外部にスルーさせるか否かを決定する映像スルー出力切換制御信号を出力する映像スルー出力切換制御手段と、
前記映像スルー出力切換制御手段によって出力された前記映像スルー出力切換制御信号に基づいて、前記映像信号を外部出力にスルーさせる映像スルー出力切換手段と、
前記映像スルー出力切換制御手段によって出力された前記映像スルー出力切換制御信号に基づいて、前記映像信号に対応する音声信号を選択させる音声スルー出力切換制御信号を出力する音声スルー出力切換制御手段と、
前記音声スルー出力切換制御手段によって出力された前記音声スルー出力切換制御信号に基づいて、前記映像信号に対応する前記音声信号を選択する音声入力切換手段と、
前記音声入力切換手段によって選択された前記音声信号を前記映像信号に同期させる遅延処理手段とを具備することを特徴とする情報記録再生装置。
【請求項２】
記録媒体に情報を記録または前記記録媒体から前記情報を再生するためのＤ端子を有する情報記録再生装置において、
画像信号規格情報を伴う映像信号を受け、前記画像信号規格情報を抽出して出力する抽出手段と、
前記抽出手段によって抽出された前記画像信号規格情報に基づいて、前記映像信号を外部にスルーさせるか否かを決定する映像スルー出力切換制御信号を出力する映像スルー出力切換制御手段と、
前記映像スルー出力切換制御手段によって出力された前記映像スルー出力切換制御信号に基づいて、前記映像信号を外部出力にスルーさせる映像スルー出力切換手段と、
前記映像スルー出力切換制御手段によって出力された前記映像スルー出力切換制御信号に基づいて、前記映像信号に対応する音声信号を外部にスルーさせる否かを決定する音声スルー出力切換制御信号を出力する音声スルー出力切換制御手段と、
前記音声スルー出力切換制御手段によって出力された前記音声スルー出力切換制御信号に基づいて、前記音声信号を外部にスルーさせる音声スルー出力切換手段とを具備することを特徴とする情報記録再生装置。
【請求項３】
複数のＤ端子を有することを特徴とする請求項１乃至２のいずれかに記載の情報記録再生装置。
【請求項４】
記録媒体に情報を記録または前記記録媒体から前記情報を再生するためのＤ端子を有する情報記録再生装置の記録再生方法において、
画像信号規格情報を伴う映像信号を受け、前記画像信号規格情報を抽出して出力するステップと、
抽出された前記画像信号規格情報に基づいて、前記映像信号を外部にスルーさせるか否かを決定する映像スルー出力切換制御信号を出力するステップと、
出力された前記映像スルー出力切換制御信号に基づいて、前記映像信号を外部出力にスルーさせるステップと、
出力された前記映像スルー出力切換制御信号に基づいて、前記映像信号に対応する音声信号を選択させる音声スルー出力切換制御信号を出力するステップと、
出力された前記音声スルー出力切換制御信号に基づいて、前記映像信号に対応する前記音声信号を選択するステップと、
選択された前記音声信号を前記映像信号に同期させるステップとを有することを特徴とする情報記録再生方法。
【請求項５】
記録媒体に情報を記録または前記記録媒体から前記情報を再生するためのＤ端子を有する情報記録再生装置の記録再生方法において、
画像信号規格情報を伴う映像信号を受け、前記画像信号規格情報を抽出して出力するステップと、
抽出された前記画像信号規格情報に基づいて、前記映像信号を外部にスルーさせるか否かを決定する映像スルー出力切換制御信号を出力するステップと、
出力された前記映像スルー出力切換制御信号に基づいて、前記映像信号を外部出力にスルーさせるステップと、
出力された前記映像スルー出力切換制御信号に基づいて、前記映像信号に対応する音声信号を選択させる音声スルー出力切換制御信号を出力するステップと、
出力された前記映像スルー出力切換制御信号に基づいて、前記映像信号に対応する音声信号を外部にスルーさせる否かを決定する音声スルー出力切換制御信号を出力するステップと、
出力された前記音声スルー出力切換制御信号に基づいて、前記音声信号を外部にスルーさせるステップとを有することを特徴とする情報記録再生方法。
【請求項６】
複数のＤ端子を有することを特徴とする請求項１乃至２のいずれかに記載の情報記録再生方法。
【発明の詳細な説明】
【技術分野】
【０００１】
この発明は、光ディスクやハードディスク等の記録媒体を対象とする情報記録再生装置に関し、特にＤ端子等の画像信号規格情報に応じた記録再生処理を行う情報記録再生装置及び情報記録再生方法に関する。
【背景技術】
【０００２】
最近、映像や音声等のデータを記録した光ディスクを再生する動画対応の情報記録再生装置が開発され、例えばＬＤ（Laser Disc）や、ビデオＣＤ（Compact Disc）などの様に、映画ソフトやカラオケ等の目的で一般に普及されている。
【０００３】
そんな中、ソース信号に重畳される画像信号規格情報であるＤ端子信号に対応する情報記録再生装置が開発されてきている。特に、特開２００３−２５９２７１号公報（特許文献１）には、Ｄ端子規格Ｄ１〜Ｄ５の全ての解像度に対応できる装置として画像信号規格情報に応じた制御情報の記録再生について記載されている。具体的には、画像表示の解像度に制限があり、処理できない高い解像度のソース信号が供給された場合、ミュートをかけて中断し、録画処理を中止する方法と画像縮小処理により解像度を落として記録再生することが提案されている。
【特許文献１】特開２００３−２５９２７１号公報（段落番号０１１４−０１２０）
【発明の開示】
【発明が解決しようとする課題】
【０００４】
上記特許文献１に記載の技術によると、画像表示の解像度に制限があって、処理できない高い解像度のソース信号が供給された場合、画像縮小処理によって解像度を落として出力しており、解像度を落とさずにスルー出力を行うことはできない。
【０００５】
そこで、本発明は上記の問題を解決するために成されたものであり、処理不可能な高解像度信号を入力した場合でも、出力端子から動品位の映像出力を行うことができ、さらに出力映像に対して同期を保った音声を出力することができる情報記録再生装置及び情報記録再生方法を提供する。
【課題を解決するための手段】
【０００６】
上記した課題を解決するために、この発明は、記録媒体に情報を記録または前記記録媒体から前記情報を再生するためのＤ端子を有する情報記録再生装置において、画像信号規格情報を伴う映像信号を受け、前記画像信号規格情報を抽出して出力する抽出手段と、前記抽出手段によって抽出された前記画像信号規格情報に基づいて、前記映像信号を外部にスルーさせるか否かを決定する映像スルー出力切換制御信号を出力する映像スルー出力切換制御手段と、前記映像スルー出力切換制御手段によって出力された前記映像スルー出力切換制御信号に基づいて、前記映像信号を外部出力にスルーさせる映像スルー出力切換手段と、前記映像スルー出力切換制御手段によって出力された前記映像スルー出力切換制御信号に基づいて、前記映像信号に対応する音声信号を選択させる音声スルー出力切換制御信号を出力する音声スルー出力切換制御手段と、前記音声スルー出力切換制御手段によって出力された前記音声スルー出力切換制御信号に基づいて、前記映像信号に対応する前記音声信号を選択する音声入力切換手段と、前記音声入力切換手段によって選択された前記音声信号を前記映像信号に同期させる遅延処理手段とを具備することを特徴とする。
【発明の効果】
【０００７】
この発明によれば、情報記録再生装置が処理不可能な映像信号を入力しても出力から同品位のまま出力させる事ができる。また、映像を切り替えても映像と音声の同期を取ることが可能なため、スルー出力時に映像と音声の同期が取れていない不自然な出力を回避することができる。
【発明を実施するための最良の形態】
【０００８】
以下、この発明の実施例について、図面を参照しながら詳細に説明する。
【０００９】
図１は、本発明の情報記録再生装置に係る実施の形態の概略構成を示すブロック図である。図１に示す情報記録再生装置は、ＤＶＤ又はハードディスクに記録されたプログラム等の情報を再生したり、およびＤＶＤ又はハードディスクにプログラム等の情報を記録したりする。
【００１０】
図１に示すように、情報記録再生装置は、ＴＶチューナ部１２、音声入力端子１３、音声入力切換部１４、映像入力Ｄ端子１５、映像入力切換部１６、エンコーダ／レコーダ部１７、Ｄ−Ｐｒｏ（Data Processor）部１８、ＨＤＤ（ハードディスクドライブ）部１９、ディスクドライブ部２０、システムコントローラ部２１、キー入力部２７、表示部２８、音声遅延処理部２９、音声Ｄ／Ａ部３０、音声スルー出力切換部３１、音声出力端子３２、映像Ｄ／Ａ部３３、映像スルー出力切換部３４、映像出力Ｄ端子３５などを備えている。
【００１１】
システムコントローラ部２１は、画像信号規格情報検出処理部２２、映像スルー出力切換制御部２３、音声スルー出力切換制御部２４、入力切換制御部２５、入力・スルー出力切換設定処理部２６等々を備えている。
【００１２】
画像信号規格情報検出処理部２２は、映像入力Ｄ端子１５から入力される映像フォーマット識別信号から画像信号規格情報を抽出する。入力・スルー出力切換設定処理部２６は、キー入力部２７から入力される入力・スルー出力切換情報に基づき画像信号規格情報による出力切換に対して出力切換設定情報を設定する。映像スルー出力切換制御部２３は、画像信号規格情報検出処理部２２から出力される画像信号規格情報および入力・スルー出力切換設定処理部２６から出力される出力切換設定条件に基づき映像スルー出力切換信号を生成する。音声スルー出力切換制御部２４は、映像スルー出力切換制御部２３から出力される映像スルー出力切換信号および入力・スルー出力切換設定処理部２６から出力される録画設定条件に基づき音声スルー出力切換信号を生成する。
【００１３】
入力切換制御部２５は、入力・スルー出力切換設定処理部２６から出力される入力切換情報に基づき入力切換信号を生成する。
【００１４】
録画は、ＨＤＤ部１９又はディスクドライブ部２０により行なわれる。例えば、ＨＤＤ部１９は、ディスクドライブ部２０によりＤＶＤ−ＲＡＭに録画されるデータと同じデータを記録し、ディスクドライブ部２０（ディスク）単独では難しい特殊処理（タイムシフト、書き込みエラー処理など）を実現可能としている。ＨＤＤ部１９は、例えば２５０ＧＢのハードディスクドライブである。さらに、このＨＤＤ部１９とディスクドライブ部２０の記録先であるＤＶＤ−ＲＡＭを組み合わせることにより、長時間の記録には、大容量のＨＤＤ１９を使用し、長期保存が必要な場合にはＤＶＤ−ＲＡＭを使用することにより、両者の長所をシステムに取り込むことができる。
【００１５】
映像・音声信号の流れは、次のようになる。
【００１６】
本発明の実施形態に係る情報記録再生装置には、ＴＶ録画をするためのチューナの他、
外部映像機器からの映像・音声信号が入力される端子が設けられている。
【００１７】
外部機器１１からの映像信号は映像入力Ｄ端子１５を介して映像入力切換部１６へ供給される。映像入力切換部１６は、システムコントローラ２１を介したユーザーの指示に応じて映像入力Ｄ端子１５またはＴＶチューナ１２からの映像信号のいずれか一方を選択し、この選択した映像信号をエンコーダ／デコーダ部１７へ供給する。
【００１８】
外部機器１１からの音声信号は音声入力端子１３を介して音声入力切換部１４へ供給される。音声入力切換部１４は、システムコントローラ２１を介したユーザーの指示に応じて音声入力端子１３またはＴＶチューナ１２からの音声信号のいずれか一方を選択し、この選択した音声信号を図示しないＡ／Ｄ変換部を介して音声遅延処理部２９へ供給する。音声遅延処理部２９は、デジタル変換された音声信号に対して映像信号と音声信号との同期をとるために音声信号の遅延処理を行いエンコーダ／デコーダ部１７へ供給する。
【００１９】
エンコーダ／デコーダ部１７は、入力された映像信号および音声信号を所定フォーマットのデジタル信号に変換し、映像ストリームおよび音声ストリームとして図示しないＭＰＥＧ２エンコーダへ供給する。ＭＰＥＧ２エンコーダは、入力された映像ストリームおよび音声ストリームをＭＰＥＧ２規格で圧縮符号化処理し、この圧縮符号化処理された記録ストリームをＤ−ＰＲＯ部１８へ出力する。
【００２０】
Ｄ−ＰＲＯ部１８は、例えば１６パック毎に２重にエラー訂正コードを付加し、ＥＣＣ（Error Correction Code）ブロックを形成する。このＤ−ＰＲＯ部１８で生成されたＥＣＣブロックのデータは、ディスクドライブ部２０によりディスクに記録されたり、又はＨＤＤ部１９に記録されたりする。
【００２１】
ディスクドライブ部２０、又はＨＤＤ部１９は再生時、この再生した再生ストリームをエンコーダ／デコーダ部１７へ出力する。ＭＰＥＧ２デコーダは、ディスクドライブ部２０、又はＨＤＤ部１９から入力された再生ストリームをＭＰＥＧ２デコードすることにより元の映像ストリームおよび音声ストリームを得る。
【００２２】
映像および音声信号を出力するときは、エンコーダ／デコーダ部１７は映像ストリームを映像Ｄ／Ａ部３３へ出力し、音声ストリームを音声Ｄ／Ａ部３０へ出力する。
【００２３】
映像Ｄ／Ａ部３３は、エンコーダ／デコーダ部１７から入力された映像ストリームをアナログ映像信号に変換し、映像スルー出力切換部３４へ出力する。映像スルー出力切換部３４は、映像Ｄ／Ａ部３３から変換したアナログ映像信号と映像入力Ｄ端子１５からのアナログ映像信号および画像信号規格情報のスルー出力を映像スルー出力切換制御部２３から出力される制御信号に応じて切換えて、映像出力Ｄ端子３５へ出力する。映像出力Ｄ端子３５は、映像信号および画像信号規格情報をＴＶ３７へ出力する。
【００２４】
音声Ｄ／Ａ部３０は、エンコーダ／デコーダ部１７から入力された音声ストリームをアナログ音声信号に変換し、音声スルー出力切換部３１へ出力する。音声スルー出力切換部３１は、音声Ｄ／Ａ部３０から変換したアナログ音声信号と音声入力端子１４からのアナログ音声信号のスルー出力を音声スルー出力切換制御部２４から出力される制御信号に応じて切換えて、音声出力端子３２へ出力する。音声出力端子３２は、音声信号をオーディオアンプ３６へ出力する。
【００２５】
次に、上記説明した情報記録再生装置によるＤ端子入力の記録再生について説明する。ここでは、例えばＤ端子の種類による情報記録再生装置の映像出力を選択するケースについて説明する。
【００２６】
まず、Ｄ端子について簡単に説明する。Ｄ端子には、Ｄ１〜Ｄ５まで種類があり、以下のような解像度の違いがある。
【００２７】
Ｄ１：  ５２５ｉ
Ｄ２：  ５２５ｉ、５２５ｐ
Ｄ３：  ５２５ｉ、５２５ｐ、１１２５ｉ
Ｄ４：  ５２５ｉ、５２５ｐ、１１２５ｉ、７５０ｐ
Ｄ５：  ５２５ｉ、５２５ｐ、１１２５ｉ、７５０ｐ、１１２５ｐ
すなわち、これらの規格は、
５２５ｉ：走査線数５２５本（有効走査線数４８０本）、飛び越し走査方式（インタレース）
５２５ｐ：走査線数５２５本（有効走査線数４８０本）、順次走査方式（プログレッシブ）
７５０ｐ：走査線数７５０本（有効走査線数７２０本）、順次走査方式（プログレッシブ）
１１２５ｉ：走査線数１１２５本（有効走査線数１０８０本）、飛び越し走査方式（インタレース）
１１２５ｐ：走査線数１１２５本（有効走査線数１０８０本）、順次走査方式（プログレッシブ）
を意味している。
【００２８】
画像信号規格情報検出処理部２２では、図２のＤ端子の制御ライン仕様を示す図に応じて取り込んだ識別信号を取り出し、映像スルー出力切換制御部２３および音声スルー出力切換処理部２４へ出力する。
【００２９】
ここで図２の制御ライン仕様は、一例として、識別信号１と識別信号２と識別信号３とから表される。すなわち、識別信号１が５．０Ｖであれば、１０８０の走査線数、識別信号２が５．０Ｖなら、プログレッシブ、識別信号３が５．０Ｖを示していれば、アスペクト比が１６：９の画像のスクイーズ信号であることを意味している。
【００３０】
次に、情報記録再生装置の解像度制限およびユーザー設定がＤ１端子のみ対応の際の処理について図３のフローチャートを参照に説明する。
【００３１】
まず、入力・スルー出力切換設定処理部２６は解像度制限を設定する（ここではＤ１端子を設定）（ステップＳ１０１）。
【００３２】
次に、キー入力部２７は、記録再生させる情報（ここではＤ１端子を設定）を入力し、入力・スルー出力切換設定処理部２６へ出力する（ステップＳ１０２）。
【００３３】
映像スルー出力切換制御部２３は、入力・スルー出力切換設定処理部２６の情報を取り込み、Ｄ１〜Ｄ５に入力される全信号がスルー出力に設定されているか、特定の信号に設定されているかを判断し（ステップＳ１０７）、全信号がスルー出力に設定されている場合は、映像スルー出力切換部３４をスルー出力に設定する（ステップＳ１０８）。
【００３４】
また、特定の信号に設定されている場合には（ここではＤ１端子）、画像信号規格情報検出処理部２２は、Ｄ端子の画像信号規格情報（識別信号）を取り込み、録画開始の際のＤ端子のステータスを検出する（ステップＳ１０３）。
【００３５】
そして、映像スルー出力切換制御部２３は、識別信号１の値をチェックし設定出力Ｄ１
端子であるかどうかを判断する（ステップＳ１０４）。識別信号１の値が０Ｖの場合は走査線数を５２５として出力切換部を通常出力に設定する（ステップＳ１０５）。５Ｖの場合は走査線数を１１２５、２．２Ｖの場合は走査線数が７５０として設定出力でない場合は、映像スルー出力切換部３４をスルー出力に設定する（ステップＳ１０８）。
【００３６】
次に、識別信号２の値がチェックされる（ステップＳ１０６）。値が０Ｖの場合はインタレースとして設定し、５Ｖの場合は、プログレッシブとして設定出力でない場合は、映像スルー出力切換部３４をスルー出力に設定する（ステップＳ１０８）。
【００３７】
また、音声スルー出力切換制御部２４は、映像スルー出力切換制御部２３の制御信号がスルー出力の場合に入力・スルー出力切換設定処理部２６からのＤ１端子以外の録画要求があるか判断し（ステップＳ１０９）、録画要求があった場合は、音声スルー出力切換部３１をスルー出力に設定する（ステップＳ１１０）。録画要求がない場合は、音声遅延処理部２９において映像信号との同期をとる処理を行う（ステップＳ１１１）と共に音声スルー出力切換部３１を通常出力に設定する（ステップＳ１１２）。
【００３８】
以降プログラムが終了するまで繰返す（ステップＳ１１３）。
【００３９】
以上説明したように、特定のＤ入力端子を処理不可能な高解像度信号等に対しては圧縮処理を行わずに同解像度でスルー出力するモニタ入力端子として、処理可能な信号に対しては記録映像入力端子として、両機能を有する兼用端子とする事によりユーザーの利便性を高めたものである。また、映像モニタ機能アクティブ時の音声出力に関して、エンコーダ／デコーダ部１７にてスルー出力映像と同期を取って音声を出力する系、及びスイッチを利用してスルー出力する系の２系等を用意し、通常時はＡＤ変換して音声の様々な処理(アッテネート、３Ｄ等)を可能な状態で出力を行い、録画時は録画ソースの音声をＡＤ変換する必要があるため、別にエンコーダ／デコーダ部１７を通過せずに音声をスルー出力させる系を設けた。ただし、このとき出力音声の処理を行うことは出来ない。
【００４０】
それによって、情報記録再生機が処理不可能な映像信号を入力しても出力から同品位のまま出力させる事ができる。また、映像を切り替えても映像と音声の同期を取ることが可能なため、スルー出力時に映像と音声の同期が取れていない不自然な出力を回避する事が出来る。
【００４１】
なお、本発明は、上記実施形態に限定されるものではなく、実施段階では、その要旨を逸脱しない範囲で種々に変形することが可能である。
【図面の簡単な説明】
【００４２】
【図１】本発明の一実施の形態による情報記録再生装置の概略構成図。
【図２】同実施の形態におけるＤ端子の制御ライン仕様の一例を示す図。
【図３】同実施の形態に係る情報記録再生装置の解像度制限およびユーザー設定がＤ１端子のみ対応の際の処理を示すフローチャート。
【符号の説明】
【００４３】
１１  外部機器
１２  ＴＶチューナ部
１３  音声入力端子
１４  音声入力切換
１５  映像入力Ｄ端子
１６  映像入力切換
１７  エンコーダ／レコーダ部
１８  Ｄ−Ｐｒｏ部
１９  ＨＤＤ部（ハードディスク）
２０  ディスクドライブ部
２１  システムコントローラ部
２２  画像信号規格情報検出処理部
２３  映像スルー出力切換制御部
２４  音声スルー出力切換制御部
２５  入力切換制御部
２６  入力・スルー出力切換設定処理部
２７  キー入力部
２８  表示部
２９  音声遅延処理部
３０  音声Ｄ／Ａ部
３１  音声スルー出力切換部
３２  音声出力端子
３３  映像Ｄ／Ａ部
３４  映像スルー出力切換部
３５  映像出力Ｄ端子
３６  オーディオアンプ
３７  ＴＶ（テレビ）
Ｄ  情報記録媒体
【図１】
2005277535.tif 000003
【図２】
2005277535.tif 000004
【図３】
2005277535.tif 000005